(57)【特許請求の範囲】
【請求項１】
操作部と、この操作部に連結されるとともに上方に設けられた表示部とから成る機器と、この機器内に設けられるとともにテレビジョン信号の中から希望チャンネルを選曲するテレビ受信部と、このテレビ受信部に前記テレビジョン信号を出力するアンテナと、このアンテナと前記テレビ受信部との間を接続するとともに電波吸収体で覆われた接続線とを備え、前記テレビ受信部は、前記アンテナに接続されたチューナ部と復調部を有し、このテレビ受信部の出力は信号処理回路を介して前記機器の表示部に接続されるとともに、前記アンテナは前記表示部の上方に配置された高周波装置において、前記アンテナの地板を前記アンテナの下方に設けるとともに、前記アンテナには同調アンテナを用い、この同調アンテナはコイルと可変容量コンデンサとが並列に接続された同調回路で形成された高周波装置。
【請求項２】
地板と前記表示部との間に電波吸収体が設けられた請求項１記載の高周波装置。
【発明の詳細な説明】
【０００１】
【発明の属する技術分野】
本発明は、パーソナルコンピュータ等でテレビジョン信号を受信する高周波装置に関するものである。
【０００２】
【従来の技術】
以下、従来の高周波装置について説明する。
【０００３】
従来の高周波装置は図４に示すように、キーボードが設けられた操作部１と、この操作部１の上方に回動自在に設けられた表示部２とで構成されている。そして、この表示部２は液晶パネルで形成されている。また、操作部１の側面にはスロット３が設けられ、このスロット３にはチューナユニット４が挿入されている。
【０００４】
そして、このチューナユニット４にはモノポールアンテナ５が設けられている。この操作部１と表示部２からなる機器をここではパーソナルコンピュータ６を例として説明する。
【０００５】
このように構成することにより、パーソナルコンピュータ６は本来のコンピュータとしての機能だけでなく、テレビ受信機としての機能も持たすことができる。
【０００６】
【発明が解決しようとする課題】
しかしながら、このような従来の構成では、信号入力に一般的なモノポールアンテナ５を使用しているので、広い周波数範囲において均一した利得特性は得られるものの損失が大きいという課題があった。また、テレビチャンネルを替えた場合や、パーソナルコンピュータ６を移動するたびに、その都度モノポールアンテナ５を動かして最適なテレビ画像が得られるアンテナ位置を探さなければならないので、その操作は煩わしいという問題があった。
【０００７】
本発明は、このような問題点を解決するもので、アンテナ調整の煩わしさのない高周波装置を提供することを目的としたものである。
【０００８】
【課題を解決するための手段】
この目的を達成するために本発明の高周波装置はテレビ受信部にテレビジョン信号を出力するアンテナには地板を設け、この地板は前記アンテナの下方に設けるとともに、アンテナには同調アンテナを用い、この同調アンテナはコイルと可変容量コンデンサとが並列に接続された同調回路で形成されたものである。
【０００９】
これにより、アンテナ調整の不要な高周波装置を得ることができる。
【００１０】
【発明の実施の形態】
本発明の請求項１に記載の発明は、操作部と、この操作部に連結されるとともに上方に設けられた表示部とから成る機器と、この機器内に設けられるとともにテレビジョン信号の中から希望チャンネルを選曲するテレビ受信部と、このテレビ受信部に前記テレビジョン信号を出力するアンテナと、このアンテナと前記テレビ受信部との間を接続するとともに電波吸収体で覆われた接続線とを備え、前記テレビ受信部は、前記アンテナに接続されたチューナ部と復調部を有し、このテレビ受信部の出力は信号処理回路を介して前記機器の表示部に接続されるとともに、前記アンテナは前記表示部の上方に配置された高周波装置において、前記アンテナの地板は前記アンテナの下方に設けるとともに、前記アンテナには同調アンテナを用い、この同調アンテナはコイルと可変容量コンデンサとが並列に接続された同調回路で形成された高周波装置である。このように表示部の上方に同調アンテナを設けているため、受信チャンネルを替えるたびに、或いは移動のたびに、従来のようにアンテナの向きを調整する必要がなく、その取り扱いは容易になる。
【００１１】
また、同調アンテナを用いているので小型でありながら高感度な受信信号を得ることができる。
【００１２】
また、アンテナとチューナ部とを接続させる接続線は電波吸収体で覆われているので、表示部から放射されるノイズがこの接続線を伝わってテレビ受信部に回り込むことはなく鮮明な画像を得ることができる。
【００１３】
請求項２に記載の発明は、地板と前記表示部との間に電波吸収体が設けられた請求項１記載の高周波装置であり、このように地板と表示部との間に電波吸収体が設けられているので、表示部から出るノイズ等が同調アンテナに入ることはない。したがって、ノイズのない鮮明な画像を得ることができる。
【００１４】
以下、本発明の実施の形態について、図面を用いて説明する。
【００１５】
図１は本発明の高周波装置の斜視図である。図１において１２はパーソナルコンピュータ（機器の一例として用いた）であり、その本体部１１の上面にはキーボード（操作部の一例として用いた）１３が設けられている。また、本体部１１には回動可能な表示部１４が設けられている。この表示部１４は液晶で形成されている。
【００１６】
また、このパーソナルコンピュータ１２には本体部１１の機能とは別に図２に示すようなテレビジョン信号を受信するテレビ受信部１９が設けられている。図２において１５は同調アンテナであり、この同調アンテナ１５はコイル１６と可変容量コンデンサ１７を並列接続された同調回路で形成している。そして、この同調アンテナ１５の出力は接続線１８を経由して本体部１１に設けられたチューナ部２５と復調部２０とから構成されるテレビ受信部１９に入力される。
【００１７】
このチューナ部２５では同調アンテナ１５から出力されたテレビジョン信号の中から希望チャンネルを選局することができる。そしてチューナ部２５の出力は復調部２０に送られる。復調部２０の出力は信号処理部２１を介して液晶などで形成された表示部１４に表示される。１０は同調アンテナ１５のバリキャップダイオード１７に同調電圧を与えるための端子である。
【００１８】
図１において、表示部１４の上方に同調アンテナ１５が設けられている。そしてこの同調アンテナ１５の出力は、表示部１４の側面を介して本体部１１に設けられたテレビ受信部１９に接続されるわけである。本発明においては、その同調アンテナ１５とテレビ受信部１９の間は電波吸収体２２で覆われている。このように電波吸収体２２で覆うことにより表示部１４から出るノイズは接続線１８に進入するのを防ぐことができる。これにより妨害を受けない綺麗な画像を得ることができる。
【００１９】
また、図３は表示部及びアンテナ近傍の断面図である。図３において、１４は表示部であり、この表示部１４の上方に同調アンテナ１５が設けられている。そして、この同調アンテナ１５の下方には導体で地板２３が設けられ、この地板２３と表示部１４との間には電波吸収体２４を設けている。このように地板２３と表示部１４の間に電波吸収体２４を設けているので表示部１４から出るノイズが同調アンテナ１５に回り込むことがなく、ノイズがチューナ部２５へ入り込むのを防ぐ。
【００２０】
また、同調アンテナ１５は表示部１４より上方に露出しているので、感度良く外部からの電波を受けることが可能であり、高感度にテレビジョン信号を受信することができる。
【００２１】
さらに、同調アンテナ１５は無指向性アンテナとしているので、パーソナルコンピュータ１２の向きを変えたりしなくても受信することができる。
【００２２】
なお、本実施の形態においてはパーソナルコンピュータ１２としてノート型の形状を例にしたが、これはノート型に限らず、デスクトップ型のパーソナルコンピュータに用いることもできる。また、携帯端末に用いてもよい。
【００２３】
【発明の効果】
以上のように本発明によれば、テレビ受信部にテレビジョン信号を出力するアンテナには地板を設け、この地板は前記アンテナの下方に設けるとともに、前記アンテナには同調アンテナを用い、この同調アンテナはコイルと可変容量コンデンサとが並列に接続された同調回路で形成されたものであるので、移動の度に同調アンテナを調整する必要はなく、取り扱いが容易になる。
【００２４】
また、同調アンテナを用いているので小型で高感度なテレビ受信機を実現することができるという効果がある。さらに、アンテナとチューナ部とを接続させる接続線は電波吸収体で覆われているので、表示部から放射されるノイズがこの接続線を伝わってテレビ受信部に回り込むことはなく鮮明な画像を得ることができる。
【図面の簡単な説明】
【図１】本発明の一実施の形態における高周波装置の斜視図
【図２】同、高周波装置を構成するテレビ受信部のブロック図
【図３】同、高周波装置の要部断面図
【図４】従来の高周波装置の斜視図
【符号の説明】
１１  本体部
１２  パーソナルコンピュータ
１３  キーボード
１４  表示部
１５  同調アンテナ
１８  接続線
１９  テレビ受信部
２０  復調部
２１  信号処理部
２２  電波吸収体
２４  電波吸収体
２５  チューナ部
【図１】
0003846296.tif 000002
【図２】
0003846296.tif 000003
【図３】
0003846296.tif 000004
【図４】
0003846296.tif 000005